(57)【要約】      （修正有）【課題】警備センタの復旧を迅速且つ容易に行うことができ、また、アプリケーションのバージョンアップに対しても対応可能となる警備センタ用配布サーバ及び警備センタ向け配布方法を提供する。【解決手段】警備動作に係るアプリケーションを保有するアプリケーションモジュールと、警備センタ１００の警備動作に係る設定情報を、警備センタ１００から取得して保有する設定情報モジュールと、アプリケーションモジュール及び設定情報モジュールを、設定情報を得たのとは別の警備センタ３００に接続された配布先警備センタ用配布サーバ２００に対して配布するための配布モジュールとを備える。警備センタ用配布サーバ１０が、配布モジュールの動作により、アプリケーションモジュール、設定情報モジュール及び配布モジュール自体を含む被配布モジュールを、配布先警備センタ用配布サーバ２００に配布する。【選択図】図１
2019016177.tif 000002
【特許請求の範囲】
【請求項１】
警備対象施設の警備状況を監視する警備端末から電気通信回線を介して該警備状況に関する警備情報を受け取る警備センタに用いるアプリケーション及び設定値の配布を行うための警備センタ用配布サーバにおいて、
該警備センタの警備動作に係るアプリケーションを保有するアプリケーションモジュールと、
該警備センタの警備動作に係る設定情報を、該警備センタから取得して保有する設定情報モジュールと、
該アプリケーションモジュール及び該設定情報モジュールを、該設定情報を得たのとは別の警備センタに接続された配布先警備センタ用配布サーバに対して配布するための配布モジュールとを備え、
該警備センタ用配布サーバが、該配布モジュールの動作により、該アプリケーションモジュール、該設定情報モジュール及び該配布モジュール自体を含む被配布モジュールを、該配布先警備センタ用配布サーバに配布することを特徴とする警備センタ用配布サーバ。
【請求項２】
前記アプリケーションのバージョンアップに係るバージョンアップモジュールを備え、
前記被配布モジュールが、該バージョンアップモジュールを含むことを特徴とする請求項１記載の警備センタ用配布サーバ。
【請求項３】
前記警備情報のデータに係るデータモジュールを備え、
前記被配布モジュールが、該データモジュールを含むことを特徴とする請求項１又は請求項２記載の警備センタ用配布サーバ。
【請求項４】
前記警備センタ用配布サーバにより、前記被配布モジュールが複製された前記配布先警備センタ用配布サーバが、更に他の配布先警備センタ用配布サーバに対して、該被配布モジュールを、再配布することを特徴とする請求項１〜請求項３のいずれかに記載の警備センタ用配布サーバ。
【請求項５】
警備対象施設の警備状況を監視する警備端末から電気通信回線を介して該警備状況に関する警備情報を受け取る警備センタにアプリケーション及び設定値の配布を行うための警備センタ向け配布方法において、
該警備センタの警備動作に係るアプリケーションを保有するアプリケーションモジュールと、該警備センタの警備動作に係る設定情報を、該警備センタから取得して保有する設定情報モジュールと、該アプリケーションモジュール及び該設定情報モジュールを該設定情報を得たのとは別の警備センタに接続された配布先警備センタ用配布サーバに対して配布するための配布モジュールとを含む被配布モジュールを、該配布モジュールの動作として、該配布先警備センタ用配布サーバに配布することを特徴とする警備センタ向け配布方法。
【請求項６】
前記被配布モジュールが、前記アプリケーションのバージョンアップに係るバージョンアップモジュールを含むことを特徴とする請求項５記載の警備センタ向け配布方法。
【請求項７】
前記被配布モジュールが、前記警備情報のデータに係るデータモジュールを含むことを特徴とする請求項５又は請求項６記載の警備センタ向け配布方法。
【請求項８】
前記被配布モジュールが複製された前記配布先警備センタ用配布サーバが、更に他の配布先警備センタ用配布サーバに対して、該被配布モジュールを、再配布することを特徴とする請求項５〜請求項７のいずれかに記載の警備センタ向け配布方法。
【発明の詳細な説明】
【技術分野】
【０００１】
本発明は、警備対象施設の警備状況を監視する警備端末から電気通信回線を介して警備状況に関する警備情報を受け取る警備センタに用いるアプリケーション及び設定値の配布を行うための警備センタ用配布サーバ及び警備センタ向け配布方法に関する。
【背景技術】
【０００２】
従来より、２４時間稼働が必須の警備センタでは、機器の故障時は、可能な限り迅速に復旧したいという強いニーズがある。この事情は、電気通信回線等におけるネットワーク上のサーバも同様で、例えば、特許文献１のサーバ監視システムでは、データセンタ等に設置されたサーバをインターネット回線等を通してサーバ監視システムとデータベースを使ってデータセンタ内のサーバの監視を行っている。そして、サーバが故障した場合、自動的に監視コンピュータから再構築する仕組みを有するものである。
【先行技術文献】
【特許文献】
【０００３】
【特許文献１】特開２０１３−２１８６８７号公報
【発明の概要】
【発明が解決しようとする課題】
【０００４】
しかしながら、特許文献１のような方式では、監視コンピュータが故障した場合や、バージョンアップ時等に迅速に対応することが困難である。
【０００５】
本発明は、このような事情に鑑みてなされたもので、警備センタの復旧を迅速且つ容易に行うことができ、また、アプリケーションのバージョンアップに対しても対応可能となる警備センタ用配布サーバ及び警備センタ向け配布方法を提供することにある。
【課題を解決するための手段】
【０００６】
請求項１記載の警備センタ用配布サーバは、警備センタの警備動作に係るアプリケーションを保有するアプリケーションモジュールと、警備センタの警備動作に係る設定情報を、警備センタから取得して保有する設定情報モジュールと、アプリケーションモジュール及び設定情報モジュールを、設定情報を得たのとは別の警備センタに接続された配布先警備センタ用配布サーバに対して配布するための配布モジュールとを備え、警備センタ用配布サーバが、配布モジュールの動作により、アプリケーションモジュール、設定情報モジュール及び配布モジュール自体を含む被配布モジュールを、配布先警備センタ用配布サーバに配布することを特徴とする。
【０００７】
請求項２記載の警備センタ用配布サーバは、アプリケーションのバージョンアップに係るバージョンアップモジュールを備え、被配布モジュールが、バージョンアップモジュールを含むことを特徴とする。
【０００８】
請求項３記載の警備センタ用配布サーバは、警備情報のデータに係るデータモジュールを備え、被配布モジュールが、データモジュールを含むことを特徴とする。
【０００９】
請求項４記載の警備センタ用配布サーバは、警備センタ用配布サーバにより、被配布モジュールが複製された配布先警備センタ用配布サーバが、更に他の配布先警備センタ用配布サーバに対して、被配布モジュールを、再配布することを特徴とする。
【００１０】
請求項５記載の警備センタ向け配布方法は、警備センタの警備動作に係るアプリケーションを保有するアプリケーションモジュールと、警備センタの警備動作に係る設定情報を、警備センタから取得して保有する設定情報モジュールと、アプリケーションモジュール及び設定情報モジュールを設定情報を得たのとは別の警備センタに接続された配布先警備センタ用配布サーバに対して配布するための配布モジュールとを含む被配布モジュールを、配布モジュールの動作として、配布先警備センタ用配布サーバに配布することを特徴とする。
【００１１】
請求項６記載の警備センタ向け配布方法は、被配布モジュールが、アプリケーションのバージョンアップに係るバージョンアップモジュールを含むことを特徴とする。
【００１２】
請求項７記載の警備センタ向け配布方法は、被配布モジュールが、警備情報のデータに係るデータモジュールを含むことを特徴とする。
【００１３】
請求項８記載の警備センタ向け配布方法は、被配布モジュールが複製された配布先警備センタ用配布サーバが、更に他の配布先警備センタ用配布サーバに対して、被配布モジュールを、再配布することを特徴とする。
【発明の効果】
【００１４】
本願の発明によれば、警備センタの復旧を迅速且つ容易に行うことができ、また、アプリケーションのバージョンアップに対しても対応可能となる。
【図面の簡単な説明】
【００１５】
【図１】本発明に係る警備センタ用配布サーバの使用構成の一例を示す構成図である。
【図２】本発明に係る警備センタ用配布サーバの一例を示す構成図である。
【図３】同警備センタ用配布サーバの動作を示す説明図である。
【図４】同警備センタ用配布サーバのアプリケーション等の吸い上げ動作を示す説明図である。
【図５】同警備センタ用配布サーバの配布サーバやアプリケーション等の複製を示す説明図である。
【発明を実施するための形態】
【００１６】
以下、本発明の形態について図面を参照しながら具体的に説明する。図１は、本発明に係る警備センタ用配布サーバの使用構成の一例を示す構成図である。図２は、本発明に係る警備センタ用配布サーバの一例を示す構成図である。図３は、同警備センタ用配布サーバの動作を示す説明図である。図４は、同警備センタ用配布サーバのアプリケーション等の吸い上げ動作を示す説明図である。図５は、同警備センタ用配布サーバの配布サーバやアプリケーション等の複製を示す説明図である。
【００１７】
本願における警備センタ用配布サーバは、警備対象施設の警備状況を監視する警備端末から電気通信回線３を介して警備状況に関する警備情報を受け取る警備センタに用いるアプリケーション及び設定値の配布を行うためのものであり、配布サーバＡ１０がそれに該当する。配布サーバＡ１０並びに後述する警備センタＡ１００、配布サーバＡ’２００及び警備センタＡ’３００は、電子通信機器として電子計算機等のハードウェアや電子計算機等で動作するソフトウェアにより構成され、警備センタＡ１００及び警備センタＡ’３００は、一般的な警備センタとしての機能を担い、また配布サーバＡ１０及び配布サーバＡ’２００は、後述の動作を行うものである。
【００１８】
配布サーバＡ１０は、警備センタＡ１００の警備動作に係るアプリケーションを保有するアプリケーションモジュールと、警備センタＡ１００の警備動作に係る設定情報を、警備センタＡ１００から取得して保有する設定情報モジュールと、アプリケーションモジュール及び設定情報モジュールを、設定情報を得たのとは別の警備センタＡ’３００に接続された配布先警備センタ用配布サーバである配布サーバＡ’２００に対して配布するための配布モジュールや被配布モジュール等を備えている。
【００１９】
配布モジュールは、具体的には、アプリケーションモジュールや設定情報モジュールや、後述するバージョンアップモジュールやデータモジュールを、他の配布サーバＡ’２００に配布するものであり、そのための配布サーバ用ＯＳ２０、配布サーバ用ミドルウェア２２、配布サーバ用配布アプリケーションＡ２４、配布サーバ用配布アプリケーションＡ２４のバージョンアップのためのモジュールである配布サーバ用バージョンアップアプリケーションＡ２６、配布サーバ用配布アプリケーションＡ２４の各種の設定値である配布サーバ用設定値Ａ２８等から構成されている。
【００２０】
アプリケーションモジュールは、具体的には、警備センタＡ１００の警備動作に係るソフトウェアであるアプリケーションであり、実際の警備センタＡ１００の警備動作に係る配布用アプリケーションＢ４０や、警備センタＡ１００の他の警備動作に係るソフトウェアである配布用アプリケーションＣ５０から構成されている。尚、本実施の形態では、警備センタＡ１００の警備動作に係るソフトウェアであるアプリケーションとして、配布用アプリケーションＢ４０と配布用アプリケーションＣ５０の２つを示しているが、警備センタの種類や機能によっては、１つの場合もあれば、もっと多くのアプリケーションが存在する場合もある。
【００２１】
設定情報モジュールは、具体的には、警備センタＡ１００から取得して保有する各アプリケーションの設定情報であり、配布用アプリケーションＢ４０の設定情報としての配布用設定値Ｂ４４や、配布用アプリケーションＣ５０の設定情報としての配布用設定値Ｃ５４から構成されている。尚、設定情報モジュールに含まれる設定情報は、アプリケーションの数に応じて設定情報は増減する場合があり、また、必ずしも各アプリケーションの設定情報に限られるものではなく、警備センタＡ１００の警備動作に係る設定情報であれば、広く含むものである。
【００２２】
さらに、必要に応じて、配布サーバＡ１０は、アプリケーションのバージョンアップに係るバージョンアップモジュールや、警備情報のデータに係るデータモジュールを備えるようにしてもよい。バージョンアップモジュールは、具体的には、配布用アプリケーションＢ４０や配布用アプリケーションＣ５０をバージョンアップするためのソフトウェアであり、配布用アプリケーションＢ４０用のものが配布用バーションアップアプリケーションＢ４２であり、配布用アプリケーションＣ５０用のものが配布用バーションアップアプリケーションＣ５２であり、バージョンアップが必要なアプリケーション毎に用意されるものである。
【００２３】
また、データモジュールは、具体的には、警備センタＡ１００の警備状況に係るデータで、例えばセンサのＯＮ／ＯＦＦのデータ等で、配布用アプリケーションＢ４０に係る警備状況の警備情報が配布用アプリＢデータコピー４６であり、配布用アプリケーションＣ５０に係る警備状況の警備情報が配布用アプリＣデータコピー５６であるが、配布用アプリケーションＢ４０等に関わらない警備情報のデータであってもよい。
【００２４】
次に、警備センタ用配布サーバである配布サーバＡ１０の動作を説明する。尚、以後の本実施例の説明において、括弧内の符号は図３のフローチャートの符号に対応している。まず、配布サーバＡ１０は、警備センタＡ１００から、アプリケーション等を吸い上げる（Ｓ１０）。具体的には、配布サーバＡ１０が、配布サーバ用ＯＳ２０等の動作として、警備センタＡ１００から、警備センタＡ１００の動作に係るアプリケーションＢ１４０や、バージョンアップアプリケーションＢ１４２や、設定値Ｂ１４４や、アプリケーションＢデータ１４６や、アプリケーションＣ１５０や、バージョンアップアプリケーションＣ１５２や、設定値Ｃ１５４や、アプリケーションＣデータ１５６を、吸い上げる（図４参照）。
【００２５】
この吸い上げたアプリケーションＢ１４０や、バージョンアップアプリケーションＢ１４２や、設定値Ｂ１４４や、アプリケーションＢデータ１４６や、アプリケーションＣ１５０や、バージョンアップアプリケーションＣ１５２や、設定値Ｃ１５４や、アプリケーションＣデータ１５６が、それぞれ、配布用アプリケーションＢ４０、配布用バージョンアップアプリケーションＢ４２、配布用設定値Ｂ４４、配布用アプリＢデータコピー４６、配布用アプリケーションＣ５０、配布用バージョンアップアプリケーションＣ５２、配布用設定値Ｃ５４、配布用アプリＣデータコピー５６として、配布サーバＡ１０に所持されることになる。尚、アプリケーション等は、配布サーバＡ１０が持つには、吸い上げの場合に限らず、配布サーバＡ１０が外部から取り込んだものであってもよい。
【００２６】
配布用サーバ１０は、上述のアプリケーション等の吸い上げ（Ｓ１０）により、アプリケーションモジュールや設定情報モジュールの他、必要に応じてバージョンアップモジュール及びデータモジュールを所持することになる。尚、アプリケーション等の吸い上げ（Ｓ１０）は、例えば定期的に行っても良いし、後述する配布サーバ複製（Ｓ１２）の直前に行うようにしてもよい。
【００２７】
そして、配布サーバ１０が、アプリケーションモジュール及び設定情報モジュールを、他の配布サーバＡ’２００に配布する場合、アプリケーションモジュール、設定情報モジュール及び配布モジュール自体を含む被配布モジュールを生成する（必要に応じて、被配布モジュールには、バージョンアップモジュールやデータモジュールが含まれる）。そして、配布サーバＡ１０は、電気通信回線３を介して、被配布モジュールを、配布先警備センタ用配布サーバである配布サーバＡ’２００に送信し配布する。そして、被配布モジュールを、配布サーバＡ’２００内に、アプリケーションモジュール、設定情報モジュール及び配布モジュール自体（必要に応じて、バージョンアップモジュールやデータモジュールを含む）を展開することで、配布サーバＡ１０が配布サーバＡ’２００が複製される（Ｓ１２）。次に、配布サーバＡ’２００が、アプリケーションモジュール、設定情報モジュール及び配布モジュール自体（必要に応じて、バージョンアップモジュールやデータモジュールを含む）を、警備センタＡ’３００に複製を行う（Ｓ１４）。
【００２８】
これにより、配布サーバＡ１０により、警備センタＡ１００の配布用アプリケーションＢ４０、配布用バージョンアップアプリケーションＢ４２、配布用設定値Ｂ４４、配布用アプリＢデータコピー４６、配布用アプリケーションＣ５０、配布用バージョンアップアプリケーションＣ５２、配布用設定値Ｃ５４及び配布用アプリＣデータコピー５６が、アプリケーションＢ’３４０、バージョンアップアプリケーションＢ’３４２、設定値Ｂ’３４４、アプリケーションＢ’データ３４６、アプリケーションＣ’３５０、バージョンアップアプリケーションＣ’３５２、設定値Ｃ’３５４及びアプリケーションＣ’データ３５６として、警備センタＡ’３００に配布され、複製されることにより、警備センタＡ’３００が、警備センタＡ１００と同じ動作を行うことが可能となり、警備サンタＡ’３００を警備センタＡ１００の代替えとして使用できる状態となる（図５参照）。
【００２９】
尚、配布用モジュール自体が配布・複製されることから、警備センタ用配布サーバにより、被配布モジュールが複製された配布先警備センタ用配布サーバが、更に他の配布先警備センタ用配布サーバに対して、被配布モジュールを、再配布することが可能である。
【００３０】
尚、以上の説明では、配布サーバＡ１０が、警備センタＡ１００の外側に設けられた形態に基づいて説明を行うが、このような構成に限定されるものではなく、警備センタＡ１００の機能として、警備センタＡ１００の内部に取り込んでもよく、警備センタ用配布サーバとしての機能を実現可能な構成であればよい。
【００３１】
以上のような警備センタ用配布サーバである配布サーバＡ１０によれば、警備センタＡ１００の復旧を迅速且つ容易に行うことができ、また、アプリケーションのバージョンアップに対しても対応可能となる。
【産業上の利用可能性】
【００３２】
以上のように、本発明によれば、警備センタの復旧を迅速且つ容易に行うことができ、また、アプリケーションのバージョンアップに対しても対応可能となる警備センタ用配布サーバ及び警備センタ向け配布方法を提供することができる。
【符号の説明】
【００３３】
３・・・・・電気通信回線
１０・・・・配布サーバＡ
２０・・・・配布サーバ用ＯＳ
２２・・・・配布サーバ用ミドルウェア
２４・・・・配布サーバ用配布アプリケーションＡ
２６・・・・配布サーバ用バージョンアップアプリケーションＡ
２８・・・・配布サーバ用設定値Ａ
４０・・・・配布用アプリケーションＢ
４２・・・・配布用バージョンアップアプリケーションＢ
４４・・・・配布用設定値Ｂ
４６・・・・配布用アプリＢデータコピー
５０・・・・配布用アプリケーションＣ
５２・・・・配布用バージョンアップアプリケーションＣ
５４・・・・配布用設定値Ｃ
５６・・・・配布用アプリＣデータコピー
１００・・・警備センタＡ
１４０・・・アプリケーションＢ
１４２・・・バージョンアップアプリケーションＢ
１４４・・・設定値Ｂ
１４６・・・アプリケーションＢデータ
１５０・・・アプリケーションＣ
１５２・・・バージョンアップアプリケーションＣ
１５４・・・設定値Ｃ
１５６・・・アプリケーションＣデータ
２００・・・配布サーバＡ’
３００・・・警備センタＡ’
３４０・・・アプリケーションＢ’
３４２・・・バージョンアップアプリケーションＢ’
３４４・・・設定値Ｂ’
３４６・・・アプリケーションＢ’データ
３５０・・・アプリケーションＣ’
３５２・・・バージョンアップアプリケーションＣ’
３５４・・・設定値Ｃ’
３５６・・・アプリケーションＣ’データ
【図１】
2019016177.tif 000003
【図２】
2019016177.tif 000004
【図３】
2019016177.tif 000005
【図４】
2019016177.tif 000006
【図５】
2019016177.tif 000007